(57)【要約】【課題】ハウジングの変形を抑制できる、複合機を提供する。【解決手段】原稿が載置される原稿載置台２０６は、画像読取部２００のハウジング２０３の底面２０４に対向して配置されている。原稿載置台２０６とハウジング２０３の底面２０４との間には、ＣＩＳユニットをハウジング２０３の底面２０４に沿って移動可能に支持するキャリッジ２０７が設けられている。このキャリッジ２０７の移動を案内するため、ハウジング２０３には、ガイドレール２１０が設けられている。画像形成ユニット３０５は、その上方がカバー３０１によって覆われている。カバー３０１は、ハウジング２０３よりも高い強度を有している。そして、ハウジング２０３の底面２０４とカバー３０１とは、上下方向に隙間３２１を空けて重ねて配置されている。【選択図】図４
2014017633.tif 000002
【特許請求の範囲】
【請求項１】
原稿の画像を読み取る読取ユニットを備えた画像読取部と、前記画像読取部の下方に設けられ、被記録媒体に画像を形成する画像形成ユニットを備えた画像形成部とを含む複合機であって、
前記画像読取部は、
底面を有するハウジングと、
前記ハウジングの前記底面に対向して配置され、原稿が載置される原稿載置台と、
前記ハウジングの前記底面と前記原稿載置台との間において、前記底面に沿って所定の読取方向に前記読取ユニットを移動可能に支持する移動体と、
前記ハウジングに設けられて、前記読取方向に延び、前記移動体の移動を案内するためのガイド部と、を備え、
前記画像形成部は、
前記画像形成ユニットの上方を覆い、前記ハウジングよりも高い強度を有するカバー部を備え、
前記ハウジングの底面および前記カバー部は、上下方向に隙間を空けて重ねて配置されている、複合機。
【請求項２】
前記ハウジングの底面と前記カバー部との間の前記隙間に介在された弾性部材をさらに含む、請求項１に記載の複合機。
【請求項３】
前記カバー部は、前記ハウジングの底面と隙間を空けて、前記所定方向に延びる上面と、前記上面に連続し、前記上面と交差する方向に延設され、かつ前記読取方向に延びる側面とを有し、
前記弾性部材は、前記上面と前記側面とがなす角部に当接している、請求項２に記載の複合機。
【請求項４】
前記弾性部材は、前記読取方向に間隔を空けて、複数設けられている、請求項２または３に記載の複合機。
【請求項５】
前記画像形成部は、前記カバー部を挟んで前記ハウジングの底面と対向する部分に設けられた金属部材をさらに備える、請求項１〜４のいずれか一項に記載の複合機。
【請求項６】
前記カバー部には、前記金属部材に向けて延びる複数のリブが形成されている、請求項５に記載の複合機。
【請求項７】
前記画像形成部は、前記カバー部と前記金属部材との間に配置され、前記画像形成ユニットの動作を制御する制御基板をさらに備え、
前記金属部材は、前記制御基板へのノイズの進入を阻止するためのシールドプレートである、請求項１〜６のいずれか一項に記載の複合機。
【請求項８】
前記ガイド部は、樹脂製である、請求項１〜７のいずれか一項に記載の複合機。
【請求項９】
前記ガイド部は、前記ハウジングの前記底面に支持されている、請求項１〜８のいずれか一項に記載の複合機。
【発明の詳細な説明】
【技術分野】
【０００１】
本発明は、スキャナ機能およびファクシミリ機能を有する複合機に関する。
【背景技術】
【０００２】
スキャナ機能およびファクシミリ機能を有する複合機が知られている。
【０００３】
スキャナ機能のための画像読取部は、たとえば、ガラス板からなる原稿載置台と、原稿載置台の下方に設けられたキャリッジと、キャリッジに保持された読取ユニットとを備えている。原稿載置台の下方では、ガイドレールが原稿載置台と平行に延びている。キャリッジは、ガイドレールに案内されつつ、ガイドレールに沿って往復移動が可能に設けられている。
【０００４】
画像の読み取りの際には、原稿載置台上に、原稿が読取対象の面を原稿載置台側に向けて載置される。その後、キャリッジがガイドレールに沿って一定速度で移動されながら、読取ユニットから原稿載置台上の原稿に光が照射される。原稿での反射光が読取ユニットのイメージセンサに受けられることにより、原稿に形成されている画像の読み取りが達成される。
【０００５】
ガイドレールは、通常、金属製のシャフトからなる。そのため、ガイドレールを支持する樹脂製のハウジングが高温環境によって撓み変形しても、ガイドレールの真直度がほぼ変わらず、キャリッジを安定して移動させることができる。その結果、原稿の画像を良好に読み取ることができる。
【先行技術文献】
【特許文献】
【０００６】
【特許文献１】特開２００７−１３３０９号公報
【発明の概要】
【発明が解決しようとする課題】
【０００７】
最近では、コスト面から、例えば、樹脂を用いて、ガイドレールをハウジングと一体成形することが考えられている。しかしながら、環境の変化により、ガイドレールがハウジングとともに撓み変形し、キャリッジの移動が不安定になるおそれがある。キャリッジの移動が不安定になると、読取ユニットによる画像の読取精度が低下するという問題がある。
【０００８】
本発明の目的は、ハウジングの変形を抑制できる、複合機を提供することである。
【課題を解決するための手段】
【０００９】
前記の目的を達成するため、本発明に係る複合機は、原稿の画像を読み取る読取ユニットを備えた画像読取部と、前記画像読取部の下方に設けられ、被記録媒体に画像を形成する画像形成ユニットを備えた画像形成部とを含む。前記画像読取部は、底面を有するハウジングと、前記ハウジングの前記底面に対向して配置され、原稿が載置される原稿載置台と、前記ハウジングの前記底面と前記原稿載置台との間において、前記底面に沿って所定の読取方向に前記読取ユニットを移動可能に支持する移動体と、前記ハウジングに設けられて、前記読取方向に延び、前記移動体の移動を案内するためのガイド部とを備えている。前記画像形成部は、前記画像形成ユニットの上方を覆い、前記ハウジングよりも高い強度を有するカバー部を備えている。前記ハウジングの底面および前記カバー部は、上下方向に隙間を空けて重ねて配置されている。
【００１０】
この構成によれば、原稿が載置される原稿載置台は、画像読取部のハウジングの底面に対向して配置されている。原稿載置台とハウジングの底面との間には、原稿の画像を読み取る読取ユニットをハウジングの底面に沿って移動可能に支持する移動体が設けられている。この移動体の移動を案内するため、ハウジングには、ガイド部が設けられている。
【００１１】
一方、被記録媒体に画像を形成する画像形成ユニットは、その上方がカバー部によって覆われている。カバー部は、ハウジングよりも高い強度を有している。そして、ハウジングの底面とカバー部とは、上下方向に隙間を空けて重ねて配置されている。
【００１２】
ハウジングの底面とカバー部との間に隙間が空けられているので、この隙間により、ハウジングおよびカバー部などの各部品の組み付け誤差を吸収することができる。また、ハウジングおよびカバー部の一方の変形に伴った他方の変形を抑制することができる。
【００１３】
そして、環境の変化により、ハウジングが隙間の間隔を超えて変形しても、ハウジングよりも強度の高いカバー部によってハウジングの底面が支持されることにより、それ以上の変形を抑えることができる。
【００１４】
その結果、ガイド部の真直度を維持することができる。よって、環境が変化しても、移動体を安定して移動させることができ、読取ユニットによる読取精度の低下を抑制することができる。
【００１５】
ハウジングの底面とカバー部との間の隙間には、弾性部材が介在されていることが好ましい。
【００１６】
この構成によれば、弾性部材により、ハウジングおよびカバー部等の各部品の上下方向の組み付け誤差などによって生じる隙間のばらつきを吸収することができる。
【００１７】
また、ハウジングの底面の変形に伴って、弾性部材の弾性力によってハウジングの底面が押し返されるので、ハウジングの底面の変形を抑制することができる。
【００１８】
さらに、複合機が落下したときなどに、ハウジングおよびカバー部の一方から他方に大きな衝撃が急激に加わっても、その衝撃を弾性部材によって吸収することができる。その結果、ハウジングおよびカバー部の破損を抑制することができる。
【００１９】
カバー部は、ハウジングの底面と隙間を空けて、読取方向に延びる上面と、上面に連続し、上面と交差する方向に延設され、かつ読取方向に延びる側面とを有していてもよい。この場合、弾性部材は、上面と側面とがなす角部に当接していることが好ましい。
【００２０】
この構成によれば、カバー部の上面と側面とがなす角部は、高い強度を有している。そのため、カバー部における角部は変形を生じる可能性が低く、その角部により、弾性部材を介してハウジングを支持することができる。その結果、ハウジングの変形を良好に抑制することができる。
【００２１】
弾性部材は、所定方向に間隔を空けて、複数設けられていることが好ましい。
【００２２】
この構成によれば、ハウジングが変形したときに、その変形によって生じる応力を複数の弾性部材で分散して受けることができる。その結果、ハウジングの変形を所定方向にわたって良好に抑制することができる。
【００２３】
画像形成部は、カバー部を挟んでハウジングの底面と対向する部分に設けられた金属部材を備えていることが好ましい。
【００２４】
この構成によれば、金属部材により、カバー部の変形を抑制し、カバー部の強度を高めることができる。その結果、ハウジングが変形したときに、カバー部により、ハウジングの底面を良好に支持することができる。
【００２５】
カバー部には、金属部材に向けて延びる複数のリブが形成されていることが好ましい。
【００２６】
この構成によれば、カバー部が変形しようとしたときに、金属部材とリブとが当接することにより、金属部材による強度をリブを介して確実にカバー部に付与することができ、カバー部の変形を一層抑制することができる。
【００２７】
カバー部と金属部材との間に、画像形成ユニットの動作を制御する制御基板が配置されていてもよい。この場合、金属部材は、制御基板へのノイズの進入を阻止するためのシールドプレートであってもよい。
【００２８】
この構成によれば、金属部材に、制御基板へのノイズの進入を阻止する機能とカバー部を補強する機能との両方を持たせることができる。
【００２９】
ガイド部は、樹脂製であってもよい。
【００３０】
この構成によれば、カバー部によりハウジングの変形を抑制することができるので、ガイド部が樹脂製であっても、高温環境下においてガイド部の真直度を維持することができる。
【００３１】
ガイド部は、ハウジングの底面に支持されていてもよい。
【００３２】
この構成によれば、カバー部によりハウジングの変形を抑制することができるので、ガイド部がハウジングの底面に支持されていても、ガイド部の真直度を維持することができる。
【発明の効果】
【００３３】
本発明によれば、環境の変化により、ハウジングが隙間の間隔を超えて変形しても、ハウジングよりも強度の高いカバー部によってハウジングの底面が支持されることにより、それ以上の変形を抑えることができる。その結果、ガイド部の真直度を維持することができる。よって、環境の変化があっても、移動体を安定して移動させることができ、読取ユニットによる読取精度の低下を抑制することができる。
【図面の簡単な説明】
【００３４】
【図１】図１は、本発明の一実施形態に係る複合機の左前上方から見た斜視図であり、原稿カバーが閉じられた状態を示す。
【図２】図２は、複合機の左前上方から見た斜視図であり、原稿カバーが開かれた状態を示す。
【図３】図３は、図１に示される画像読取部の本体部の平面図である。
【図４】図４は、図３に示される切断面線Ａ−Ａにおける画像読取部の本体部および画像形成部の断面図である。
【図５】図５は、図３に示される切断面線Ｂ−Ｂにおける画像読取部の本体部および画像形成部の断面図である。
【図６】図６は、図３に示されるハウジング、キャリッジおよび移動機構の斜視図である。
【図７】図７は、図１に示される画像形成部の平面図である。
【図８】図８は、画像読取部の本体部の右前下方から見た斜視図である。
【図９】図９は、図４に示される二点鎖線で囲まれる部分の拡大断面図である。
【発明を実施するための形態】
【００３５】
以下では、本発明を複合機に適用した場合の実施の形態について、添付図面を参照しつつ詳細に説明する。
【００３６】
＜複合機の外観構成＞
【００３７】
図１に示されるように、複合機１００は、略直方体形状をなしている。複合機１００は、画像読取部２００と、画像読取部２００の下方に配置された画像形成部３００とを備えている。
【００３８】
なお、複合機１００が水平面上に載置された状態で、平面視における複合機１００の長手方向を左右方向と規定する。また、複合機１００の長手方向および上下方向と直交する方向を前後方向と規定する。図１以降の各図では、図面の理解を助けるために、その規定された方向を矢印で示す。
【００３９】
画像読取部２００は、扁平な略直方体形状をなしている。画像読取部２００は、画像形成部３００に対し、画像形成部３００の後面上部において左右方向に延びる軸線を中心として、閉位置と、開位置とに回動変位可能に設けられている。画像読取部２００は、閉位置において、画像形成部３００上に積み重なる。画像読取部２００は、開位置において、画像形成部３００に対して前側が持ち上がって展開する。
【００４０】
また、画像読取部２００は、本体部２０１と、原稿カバー２０２とを備えている。原稿カバー２０２は、本体部２０１の後面上部において左右方向に延びる軸線を中心として、図１に示される閉位置と、図２に示される開位置とに回動変位可能に設けられている。原稿カバー２０２は、閉位置において、本体部２０１上に積み重なる。原稿カバー２０２は、開位置において、本体部２０１に対して前側が持ち上がって展開する。
【００４１】
画像形成部３００は、略直方体形状をなしている。画像形成部３００の正面の上部には、ユーザによって操作される操作パネルＰが配置されている。
【００４２】
＜画像読取部の構成＞
【００４３】
画像読取部２００の本体部２０１は、図３、図４、図５および図６に示されるように、樹脂製のハウジング２０３を備えている。ハウジング２０３は、図６に示されるように、平面視で略矩形状に形成されている。また、ハウジング２０３は、底面２０４を有している。底面２０４における、後述するガイドレール２１０が設けられ、後述するキャリッジ２０７が移動可能な部分は、略矩形状で板状のキャリッジ形成部２０５を構成している。
【００４４】
なお、図４、図５および図９では、図面の煩雑化を避けるために、要部のみにハッチングが付されている。
【００４５】
ハウジング２０３は、図４および図５に示されるように、原稿載置台２０６を保持している。原稿載置台２０６は、左右方向に長い矩形状のガラス板からなる。原稿載置台２０６は、図４に示されるように、ハウジング２０３の前上端部と後上端部との間に架設され、ハウジング２０３を上方から閉塞するように水平姿勢で配置されている。
【００４６】
本体部２０１は、移動体の一例としてのキャリッジ２０７を備えている。キャリッジ２０７は、ハウジング２０３の底面２０４と原稿載置台２０６との間に設けられている。キャリッジ２０７は、図６に示されるように、前後方向に長い平面視矩形状をなしている。
【００４７】
キャリッジ２０７は、読取ユニットの一例としてのＣＩＳ（Contact Image
Sensor）ユニット２０８を支持している。ＣＩＳユニット２０８の内部には、たとえば、ＬＥＤ光源、レンズおよびイメージセンサなどが配置されている。
【００４８】
また、本体部２０１は、キャリッジ２０７を左右方向に往復移動させるための移動機構２０９を備えている。移動機構２０９は、ハウジング２０３の底面２０４と原稿載置台２０６との間に設けられている。移動機構２０９は、ガイド部の一例としてのガイドレール２１０、モータ２１１、プーリ２１２および歯付ベルト２１３を含む。
【００４９】
ガイドレール２１０は、ハウジング２０３の底面２０４のキャリッジ形成部２０５に、ハウジング２０３と一体成形されている。ガイドレール２１０は、図４および図６に示されるように、キャリッジ形成部２０５の左右方向のほぼ全幅にわたって延びる断面Ｕ字状の突条として形成されている。キャリッジ２０７は、ガイドレール２１０に跨がるように設けられ、ガイドレール２１０に案内されつつ左右方向に往復移動可能とされている。
【００５０】
なお、本発明の読取方向は、図３におけるハウジング２０３の左側から右側に向かう方向を示している。具体的には、ガイドレール２１０は、読取方向に沿って設けられ、キャリッジ２０７は、読取方向に移動する。
【００５１】
図６に示されるように、モータ２１１は、ハウジング２０３におけるガイドレール２１０の左端部のさらに左後側に配置されている。モータ２１１の出力軸には、モータギヤ２１４が取り付けられている。
【００５２】
プーリ２１２は、モータ２１１の前側に配置されている。プーリ２１２は、第１ギヤ部および第２ギヤ部を同一軸線上に有する段付ギヤからなり、第１ギヤ部には、モータギヤ２１４が噛合している。
【００５３】
歯付ベルト２１３は、プーリ２１２とガイドレール２１０の右端部の近傍に配置されたプーリ（図示せず）とに巻回されて、左右方向に延びている。歯付ベルト２１３の内面に形成されたギヤは、プーリ２１２の第２ギヤ部に噛合している。歯付ベルト２１３の途中部は、キャリッジ２０７に固定されている。
【００５４】
モータ２１１が一方向に駆動されると、モータギヤ２１４からプーリ２１２に駆動力が入力され、プーリ２１２がモータ２１１と逆方向に回転する。プーリ２１２の回転により、歯付ベルト２１３が周回し、これに伴って、キャリッジ２０７がガイドレール２１０に案内されつつ右方に移動する。また、モータ２１１が他方向に駆動されると、モータギヤ２１４からプーリ２１２に駆動力が入力され、プーリ２１２がモータ２１１と逆方向に回転する。プーリ２１２の回転により、歯付ベルト２１３が周回し、これに伴って、キャリッジ２０７がガイドレール２１０に案内されつつ左方に移動する。
【００５５】
原稿カバー２０２は、図２に示されるように、原稿押さえ部材２２１を備えている。原稿押さえ部材２２１は、原稿カバー２０２が本体部２０１上に積み重なった状態で、原稿載置台２０６と対向する位置に配置されている。原稿押さえ部材２２１は、たとえば、白色樹脂からなるシート状をなしている。原稿押さえ部材２２１は、原稿カバー２０２に弾性的に保持されている。
【００５６】
画像の読み取りの際には、原稿カバー２０２が本体部２０１上に積み重なった姿勢から前側が持ち上がって展開した姿勢に変位される。これにより、原稿載置台２０６が露出する。この露出した原稿載置台２０６上に、原稿が読取対象の面を原稿載置台２０６側に向けて載置される。その後、原稿カバー２０２が本体部２０１上に積み重なった姿勢に戻される。そして、キャリッジ２０７がガイドレール２１０の左端部付近のホームポジションから右方（読取方向）に一定速度で移動されながら、ＣＩＳユニット２０８から原稿載置台２０６上の原稿に光が照射される。原稿での反射光がＣＩＳユニット２０８のイメージセンサに受けられることにより、原稿に形成されている画像の読み取りが達成される。読み取りが終了すると、キャリッジ２０７は、左方に移動され、ホームポジションに戻る。
【００５７】
＜画像形成部の構成＞
【００５８】
画像形成部３００は、図４、図５および図７に示されるように、カバー部の一例としてのカバー３０１を備えている。カバー３０１は、その上方に位置するハウジング２０３よりも高い強度を有している。カバー３０１は、図９に示されるように、画像読取部２００のハウジング２０３の底面２０４に対して下方から隙間３２１を空けて対向して配置され、画像形成部３００の上面を形成している。カバー３０１は、図４および図７に示されるように、相対的に１段高い位置に形成された上面の一例としての第１上面部３０２と、第１上面部の後側で相対的に１段低い位置に形成された第２上面部３０３と、第１上面部３０２の後端縁と第２上面部３０３の前端縁とに接続され、上下方向および左右方向に延びる側面の一例としての側面部３０４とを有している。
【００５９】
カバー３０１の下方には、たとえば、プリンタ機能を実現するためのインクジェット方式の画像形成ユニット３０５が設けられている。
【００６０】
カバー３０１の第１上面部３０２の下方であって、画像形成ユニット３０５が収容されている空間３０６の上方の空間３０７には、画像形成ユニット３０５の制御のための制御基板３０８が水平姿勢で収容されている。
【００６１】
画像形成ユニット３０５が収容される空間３０６と制御基板３０８が収容される空間３０７とを仕切るように、制御基板３０８へのノイズの進入を阻止するための金属製のシールドプレート３０９が設けられている。金属部材の一例としてのシールドプレート３０９は、制御基板３０８に下方から対向して配置され、制御基板３０８と平行に延びる対向部３１０と、対向部３１０の後端縁に接続された屈曲部３１１とを一体的に有している。屈曲部３１１は、対向部３１０の後端縁から上方に立ち上がり、後方に屈曲し、さらに下方に屈曲して、カバー３０１の側面部３０４と平行をなして下方に延びている。
【００６２】
カバー３０１の下面には、図５に示されるように、複数のリブ３１２が左右方向に間隔を空けて形成されている。各リブ３１２は、図４に示されるように、第１上面部３０２と側面部３０４とがなす角部３１３の内側に設けられている。各リブ３１２は、シールドプレート３０９に向けて下方に延び、その下端がシールドプレート３０９の屈曲部３１１に対して上方に微小な間隔を空けて対向している。
【００６３】
＜弾性部材＞
【００６４】
画像読取部２００のハウジング２０３の底面２０４には、図８に示されるように、複数の弾性部材４０１が設けられている。弾性部材４０１は、画像読取部２００が画像形成部３００上に積み重なった状態で、各リブ３１２と上下方向に重なる位置に配置されている。そして、画像読取部２００が画像形成部３００上に積み重なった状態で、各弾性部材４０１は、カバー３０１の第１上面部３０２と側面部３０４とがなす角部３１３に上方から圧縮状態で当接している。
【００６５】
＜弾性部材の近傍の構成の詳細＞
【００６６】
画像読取部２００のハウジング２０３の底面２０４は、図９に示されるように、キャリッジ形成部２０５におけるガイドレール２１０の前側に、ガイドレール２１０の後側の部分よりも一段高い高段部２２２を有している。キャリッジ形成部２０５における高段部２２２とその高段部２２２よりも一段低い部分とは、接続部２２３によって接続されている。
【００６７】
画像形成部３００のカバー３０１の第１上面部３０２は、高段部２２２の下方に配置されている。第１上面部３０２は、高段部２２２に対して隙間３２１を空けて平行をなし、高段部２２２と上下方向に重なっている。第１上面部３０２と側面部３０４とがなす角部３１３は、高段部２２２と接続部２２３とがなす角部の内面に対して前下方から間隔を空けて対向している。
【００６８】
シールドプレート３０９の屈曲部３１１は、第１上面部３０２の後端部の下方に配置されている。屈曲部３１１は、図４に示される対向部３１０の後端縁から上方に延びる前側部３１４と、前側部３１４の上端縁から後方に延びる上部３１５と、上部３１５の後端縁から下方に延びる後側部３１６を有している。上部３１５は、第１上面部３０２の下面に対して間隔を空けて対向している。後側部３１６は、側面部３０４の前面に対して第１上面部３０２の下面と上部３１５との間隔よりも小さい間隔を空けて対向している。
【００６９】
角部３１３の内側に設けられた各リブ３１２は、第１上面部３０２と上部３１５との間に形成されている。リブ３１２は、側面視略矩形状をなしている。リブ３１２は、第１上面部３０２の下面と側面部３０４の前面とに跨がっている。リブ３１２の下端縁は、上部３１５と微小な隙間を空けて、前後方向に上部３１５と平行をなして延びている。
【００７０】
弾性部材４０１は、画像読取部２００が画像形成部３００上に積み重なった状態で、各リブ３１２の上方に設けられている。各弾性部材４０１は、ハウジング２０３の第１上面部３０２と側面部３０４とに接している。画像読取部２００が画像形成部３００上に積み重なった状態で、各弾性部材４０１の後端部は、角部３１３におけるリブ３１２が設けられている部分に上方から圧縮状態で当接している。そのため、各弾性部材４０１は、角部３１３から反力を受ける。この反力により、ハウジング２０３は、各弾性部材４０１に弾性的に支持される。各弾性部材４０１からハウジング２０３に加わる弾性力は、第１上面部３０２と側面部３０４とに分散して受けられる。
【００７１】
＜作用効果＞
【００７２】
以上のように、原稿が載置される原稿載置台２０６は、画像読取部２００のハウジング２０３の底面２０４に対向して配置されている。原稿載置台２０６とハウジング２０３の底面２０４との間には、原稿の画像を読み取るＣＩＳユニット２０８をハウジング２０３の底面２０４に沿って移動可能に支持するキャリッジ２０７が設けられている。このキャリッジ２０７の移動を案内するため、ハウジング２０３には、ガイドレール２１０が設けられている。
【００７３】
一方、用紙などの被記録媒体に画像を形成する画像形成ユニット３０５は、その上方がカバー３０１によって覆われている。カバー３０１は、ハウジング２０３よりも高い強度を有している。そして、ハウジング２０３の底面２０４とカバー３０１とは、上下方向に隙間３２１を空けて重ねて配置されている。
【００７４】
ハウジング２０３の底面２０４とカバー３０１との間に隙間３２１が空けられているので、この隙間３２１により、ハウジング２０３およびカバー３０１などの各部品の組み付けにおける上下方向の誤差を吸収することができる。また、ハウジング２０３およびカバー３０１の一方の変形に伴った他方の変形を抑制することができる。
【００７５】
そして、高温環境下において、樹脂性のハウジング２０３が隙間３２１の間隔を超えて変形しても、ハウジング２０３よりも強度の高いカバー３０１によってハウジング２０３の底面２０４が支持されることにより、それ以上の変形を抑えることができる。
【００７６】
ハウジング２０３の変形を抑制することができるので、ガイドレール２１０が樹脂製であっても、また、ガイドレール２１０がハウジング２０３の底面２０４に支持されていても、ガイドレール２１０の真直度を維持することができる。
【００７７】
よって、高温環境下においても、キャリッジ２０７を安定して移動させることができ、ＣＩＳユニット２０８による読取精度の低下を抑制することができる。
【００７８】
また、ハウジング２０３の底面２０４とカバー３０１との間の隙間３２１には、弾性部材４０１が介在されている。
【００７９】
弾性部材４０１により、ハウジング２０３およびカバー３０１の組み付け誤差などによって生じる隙間３２１のばらつきを吸収することができる。
【００８０】
また、ハウジング２０３の底面２０４の変形に伴って、弾性部材４０１の弾性力によってハウジング２０３の底面２０４が押し返されるので、ハウジング２０３の底面２０４の変形を抑制することができる。
【００８１】
さらに、複合機１が落下したときなどに、ハウジング２０３およびカバー３０１の一方から他方に大きな衝撃が急激に加わっても、その衝撃を弾性部材４０１によって吸収することができる。その結果、ハウジング２０３およびカバー３０１の破損を抑制することができる。
【００８２】
カバー３０１は、ハウジング２０３の底面２０４と隙間３２１を空けて、左右方向に延びる第１上面部３０２と、第１上面部３０２に連続し、上下方向および左右方向に延びる側面部３０４とを有している。そして、弾性部材４０１は、第１上面部３０２と側面部３０４とがなす角部３１３に当接している。
【００８３】
カバー３０１の第１上面部３０２と側面部３０４とがなす角部３１３は、高い強度を有している。そのため、ハウジング２０３が変形したときに、高い強度の角部３１３により、弾性部材４０１を介してハウジング２０３を支持することができる。その結果、ハウジング２０３の変形を良好に抑制することができる。
【００８４】
また、弾性部材４０１は、左右方向に間隔を空けて、複数設けられている。
【００８５】
ハウジング２０３が変形したときに、その変形によって生じる応力を複数の弾性部材４０１で分散して受けることができる。その結果、ハウジング２０３の変形を左右方向にわたって良好に抑制することができる。
【００８６】
また、画像形成部３００は、シールドプレート３０９を備えている。
【００８７】
シールドプレート３０９は、カバー３０１における第１上面部３０２と側面部３０４とがなす角部３１３の下方に位置し、カバー３０１の強度を高めるように作用する。その結果、ハウジング２０３が変形したときに、強度の高いカバー３０１により、ハウジング２０３の底面２０４を良好に支持することができる。
【００８８】
また、カバー３０１には、シールドプレート３０９に向けて延びる複数のリブ３１２が形成されていることが好ましい。
【００８９】
カバー３０１が変形したときに、シールドプレート３０９とリブ３１２とが当接することにより、シールドプレート３０９の強度をリブ３１２を介して確実にカバー３０１に作用させることができる。よって、シールドプレート３０９に、制御基板３０８へのノイズの進入を阻止する機能とカバー３０１を補強する機能との両方を持たせることができる。
【００９０】
＜変形例＞
【００９１】
以上、本発明の一実施形態について説明したが、本発明は、他の形態で実施することもできる。
【００９２】
たとえば、ガイドレール２１０は、樹脂製であり、ハウジング２０３の底面２０４と一体成形されているとした。しかしながら、ガイドレール２１０は、樹脂を用いて、ハウジング２０３と別体に形成され、ハウジング２０３の底面２０４上に配置されて、底面２０４に固定されていてもよい。また、ガイドレール２１０は、樹脂を用いて、ハウジング２０３と別体に形成され、ハウジング２０３の底面２０４に対して上方に浮いた状態でハウジング２０３に支持されていてもよい。
【００９３】
さらに、ガイドレール２１０は、樹脂製である必要はなく、金属製であってもよい。ガイドレール２１０が金属製である場合にも、ガイドレール２１０は、ハウジング２０３の底面２０４に接触した状態で固定されていてもよいし、底面２０４に対して上方に浮いた状態でハウジング２０３に支持されていてもよい。
【００９４】
その他、前述の構成には、特許請求の範囲に記載された事項の範囲で種々の設計変更を施すことが可能である。
【符号の説明】
【００９５】
１      複合機
２００  画像読取部
２０３  ハウジング
２０４  底面
２０６  原稿載置台
２０７  キャリッジ
２０８  ＣＩＳユニット
２１０  ガイドレール
３００  画像形成部
３０１  カバー
３０２  第１上面部
３０４  側面部
３０５  画像形成ユニット
３０８  制御基板
３０９  シールドプレート
３１２  リブ
３１３  角部
３２１  隙間
４０１  弾性部材
【図１】
2014017633.tif 000003
【図２】
2014017633.tif 000004
【図３】
2014017633.tif 000005
【図４】
2014017633.tif 000006
【図５】
2014017633.tif 000007
【図６】
2014017633.tif 000008
【図７】
2014017633.tif 000009
【図８】
2014017633.tif 000010
【図９】
2014017633.tif 000011